(57)【要約】【課題】ジャム発生時に、正しく読み取りが行われた最後の原稿をユーザーに知らせ、原稿読取部に再セットすべき残りの原稿をユーザーに正確に伝える。【解決手段】画像形成装置１は、原稿読取部５に原稿を自動的に搬送する自動原稿送り装置（原稿給送部６）と、原稿読取部５により読み取られた原稿の画像データを順次頁単位で記憶する画像メモリー３２と、ジャム検出部１０１によりジャム発生が検知された場合に、ジャム判定部１０３により判定されたジャムの種類に応じて、原稿読取部５により読み取りが成功した最終の頁である成功最終頁を検出し、これよりも後の原稿に対応する画像データを画像メモリー３２から消去する画像消去部１０２とを備え、制御部１００は、画像形成部１２により成功最終頁を印刷させる。【選択図】図２
2018006834.tif 000002
【特許請求の範囲】
【請求項１】
原稿を自動的に搬送して当該原稿から画像を読み取る原稿読取部と、
前記原稿読取部により読み取られた原稿の画像データを順次頁単位で記憶する画像記憶部と、
ジャムの発生を検出するジャム検出部と、
前記ジャム検出部によってジャムが検出されたとき、前記原稿読取部による原稿読取を中断させる制御部と、
前記ジャム検出部によって検出されたジャムの種類を判定するジャム判定部と、
前記ジャム判定部により判定されたジャムの種類に応じて、前記原稿読取部による読み取りが成功している成功最終頁を検出し、当該検出した成功最終頁よりも後の原稿に対応する画像データを前記画像記憶部から消去する画像消去部と、
前記成功最終頁の画像データを出力する出力部と、を備える画像形成装置。
【請求項２】
前記画像消去部は、ジャムの種類に応じて予め定められた頁数ａを記憶しており、前記原稿読取部による読み取りが最後に完了した原稿から前記頁数ａを減算することにより前記成功最終頁を検出する請求項１に記載の画像形成装置。
【請求項３】
前記出力部は、前記成功最終頁の画像データを印刷する画像形成部である請求項１又は請求項２に記載の画像形成装置。
【請求項４】
前記出力部は、前記成功最終頁の画像データを表示する表示部である請求項１又は請求項２に記載の画像形成装置。
【請求項５】
前記出力部としての画像形成部及び表示部と、
ファクシミリ通信を行うファクシミリ通信部と、
前記原稿読取部によるスキャナ送信中、又は前記ファクシミリ通信部によるファクシミリ送信のために前記原稿読取部による原稿読取動作中に、前記ジャム検出部によってジャムが検出されたときは、前記画像形成部に前記成功最終頁の画像データを印刷させ、前記原稿読取部及び前記画像形成部によるコピー動作中に、前記ジャム検出部によってジャムが検出されたときは、最初の頁から前記成功最終頁の画像データを前記画像形成部に印刷させると共に、この前記成功最終頁の画像データを印刷した頁の次の原稿からセットする旨のメッセージを前記表示部に表示させる制御部と、を更に備える請求項１又は請求項２に記載の画像形成装置。
【請求項６】
前記画像消去部は、前記ジャムの種類について前記頁数ａを、
（１）無給紙ジャムのときは「０」、
（２）給紙部ジャム、レジストジャム、給紙滞留ジャム、搬送滞留ジャム、及び反転ジャムのときは「１」、
（３）排出ジャムのときは「２」、として記憶している請求項２乃至請求項５のいずれかに記載の画像形成装置。
【発明の詳細な説明】
【技術分野】
【０００１】
本発明は、画像形成装置に関し、特に、ジャムが発生した場合の対処技術に関する。
【背景技術】
【０００２】
自動原稿送り装置を用いての原稿の読み取り中にジャムが発生した場合、原稿の読み取りは中断される。この場合のリカバリー方法として、読み取りが完了していない残りの原稿をユーザーに自動原稿送り装置に再セットさせ、原稿の読み取りを再スタートさせるというものがある。
【０００３】
例えば、下記の特許文献１〜３には、原稿の読み取りが行われている最中にジャムが発生した場合に、読み取りが完了した原稿（又は読み取り途中の原稿）の画像をディスプレイに表示し、読み取りが完了した原稿（又は読み取りが完了していない原稿）をユーザーに視覚的に知らせ、自動原稿送り装置に再セットすべき残りの原稿をユーザーに把握させることが記載されている。
【０００４】
また、下記の特許文献４には、原稿の読み取りが行われている最中にジャムが発生した場合に、読み取り途中の原稿の画像を印刷することが記載されている。これにより、原稿画像を表示可能なディスプレイを有していない画像形成装置であっても、読み取りが完了していない原稿をユーザーに視覚的に知らせることができる。
【先行技術文献】
【特許文献】
【０００５】
【特許文献１】特開平１０−２７１２８７号公報
【特許文献２】特開２０００−０８９６１７号公報
【特許文献３】特開２００５−２７４９４１号公報
【特許文献４】特開２００５−２７４９４２号公報
【発明の概要】
【発明が解決しようとする課題】
【０００６】
読み取り途中よりも前の原稿は、読み取りが完了した原稿であるが、読み取りが完了していたとしても、その原稿が正しく読み取られているとは限らない。ジャムの種類によっては、１頁や２頁前の原稿から正しく読み取られていない可能性もある。
【０００７】
本発明は、上記の事情に鑑みなされたものであり、ジャムが発生した場合に、正しく読み取りが行われた最後の原稿をユーザーに知らせ、原稿読取部に再セットすべき残りの原稿をユーザーに正確に伝えることを目的とする。
【課題を解決するための手段】
【０００８】
本発明の一局面に係る画像形成装置は、原稿を自動的に搬送して当該原稿から画像を読み取る原稿読取部と、前記原稿読取部により読み取られた原稿の画像データを順次頁単位で記憶する画像記憶部と、ジャムの発生を検出するジャム検出部と、前記ジャム検出部によってジャムが検出されたとき、前記原稿読取部による原稿読取を中断させる制御部と、前記ジャム検出部によって検出されたジャムの種類を判定するジャム判定部と、前記ジャム判定部により判定されたジャムの種類に応じて、前記原稿読取部による読み取りが成功している成功最終頁を検出し、当該検出した成功最終頁よりも後の原稿に対応する画像データを前記画像記憶部から消去する画像消去部と、前記成功最終頁の画像データを出力する出力部と、を備える。
【発明の効果】
【０００９】
本発明によれば、ジャムの発生により原稿読取が中断したとき、当該発生したジャムの種類に応じた、原稿読取部による読み取りが成功している成功最終頁を検出し、成功最終頁よりも後の原稿（読み取りが不成功になっている可能性のある原稿）に対応する画像データが画像記憶部から消去され、成功最終頁の画像データが出力される。従って、ジャムが発生した場合、正しく読み取りが行われている最終頁の原稿を、ユーザーに対して示すことができる。これにより、ユーザーは、どこまでの原稿が正しく読み取りが行われているかの判断を自分で行う必要がなくなり、原稿読取部に再度読取を行わせるべき原稿を簡単に把握できる。
【図面の簡単な説明】
【００１０】
【図１】本発明の実施形態に係る画像形成装置の構造を示した模式的な部分断面正面図である。
【図２】実施形態に係る画像形成装置の主要内部構成を概略的に示した機能ブロック図である。
【図３】実施形態に係る画像形成装置における制御ユニットの行う処理動作の一例を示したフローチャートである。
【図４】原稿の読み取り状況を説明するための説明図である。
【図５】ジャムの種類と、読み取り成功と不成功の原稿の境目までの原稿の頁数との関係の一例を示した図である。
【図６】原稿の読み取りの成功と不成功の境目等を説明するための説明図である。
【発明を実施するための形態】
【００１１】
以下、本発明の一実施形態に係る画像形成装置について図面を参照して説明する。図１は、本発明の実施形態に係る画像形成装置の構造を示した模式的な部分断面正面図である。画像形成装置１は、装置本体１１に、操作部４７、原稿読取部５、画像形成部１２、定着部１３、及び給紙部１４を含んで構成されている。
【００１２】
操作部４７は、画像形成装置１が実行可能な各種動作及び処理について操作者から画像形成動作実行指示や原稿読取動作実行指示等の指示を受け付けるものであり、操作者への操作案内等を表示する表示部４７３を備えている。
【００１３】
画像形成装置１で原稿読取動作が行われる場合について説明する。原稿読取部５は、原稿トレイ６ａから原稿を搬送して所定の読取位置で当該原稿を光学的に読み取り、又は原稿載置ガラス１６１に載置された原稿の画像を光学的に読み取り、画像データを生成する。原稿読取部５により生成された画像データは、画像メモリー３２等に記憶される。
【００１４】
原稿読取部５は、光照射部及びＣＣＤ（Charge Coupled Device）センサー等を有する読取機構１６３を備えており、原稿読取部５は、光照射部を使って原稿を照射し、その反射光をＣＣＤセンサーで受光することによって、原稿から画像を読み取る。
【００１５】
画像形成装置１で画像形成動作が行われる場合について説明する。原稿読取動作により生成された画像データや、内臓ＨＤＤに記憶されている画像データ、ネットワーク接続されたコンピューターから受信した画像データ等に基づいて、画像形成部１２が、給紙部１４から給紙される記録媒体としての用紙Ｐにトナー像を形成する。
【００１６】
定着部１３は、熱圧着によりトナー像を用紙Ｐに定着させるものであり、定着処理が施された用紙Ｐは、排出ローラー対１５９を介して排出トレイ１５１に排出されることになる。
【００１７】
図２は、画像形成装置１の主要内部構成を概略的に示した機能ブロック図である。画像形成装置１は、制御ユニット１０、原稿読取部５、画像形成部１２、画像メモリー３２、ＨＤＤ９２、定着部１３、給紙部１４、ジャムセンサー１５、ファクシミリ通信部７１及び操作部４７を含んで構成されている。なお、図１に示した画像形成装置１と同様の構成部分については同符号を付し、ここではその詳しい説明を省略する。
【００１８】
画像メモリー３２は、原稿読取部５による読み取りで得られた原稿の画像データを順次頁単位で一時的に記憶したり、画像形成部１２のプリント対象となるデータを一時的に保存したりするための領域である。なお、画像メモリー３２は、特許請求の範囲における画像記憶部の一例である。
【００１９】
ファクシミリ通信部７１は、ファクシミリの通信を行い、ネットワークインターフェイス部９１は、ローカルエリア内、又はインターネット上のパーソナルコンピューター（パソコン）等の外部装置２０と、原稿読取部５によって読み取られた画像のスキャン送信等を行うものである。
【００２０】
ジャムセンサー１５は、無給紙ジャム、給紙部ジャム、レジストジャム、給紙滞留ジャム、搬送滞留ジャム、反転ジャム、排出ジャムなどのジャムを検知するためのセンサーであり、例えば、原稿トレイ６ａに設置されている原稿検知センサーや、ピックアップローラー１４５近くに設置される給紙センサー、搬送ローラー対１９近くに設置されるレジストセンサー、排出ローラー対１５９近くに設置される排出センサーなどが挙げられる。当該ジャムセンサー１５及びジャム検出部１０１が、特許請求の範囲におけるジャム検出部の一例である。
【００２１】
制御ユニット１０は、プロセッサー、ＲＡＭ（Random Access Memory）、ＲＯＭ（Read Only Memory）、及び専用のハードウェア回路を含んで構成される。プロセッサーは、例えば、ＣＰＵ（Central Processing Unit）、ＭＰＵ、ＡＳＩＣ等である。制御ユニット１０は、制御部１００と、ジャム検出部１０１と、画像消去部１０２と、ジャム判定部１０３と、を備えている。
【００２２】
制御ユニット１０は、ＨＤＤ９２にインストールされている制御プログラムに従った上記プロセッサーによる動作により、制御部１００、ジャム検出部１０１、及び画像消去部１０２として機能するものである。但し、制御部１００等は、制御ユニット１０による制御プログラムに従った動作によらず、それぞれハードウェア回路により構成することも可能である。以下、特に触れない限り、各実施形態について同様である。
【００２３】
制御部１００は、画像形成装置１の全体的な動作制御を司る。制御部１００は、原稿読取部５、画像形成部１２、画像メモリー３２、ＨＤＤ９２、定着部１３、給紙部１４、ジャムセンサー１５、及び操作部４７と接続され、これら各部の駆動制御を行う。
【００２４】
ジャム検出部１０１は、各ジャムセンサー１５からの検知信号に基づいて、ジャムの発生を検出する。ジャム検出部１０１は、ジャム検出センサー１５から原稿有りを示す信号が一定期間以上継続する場合に、当該ジャム検出センサー１５の配設位置においてジャム(紙詰まり)が発生していると判断する。
【００２５】
ジャム判定部１０３は、ジャム検出部１０１によって検出されたジャムの種類を判定する。
【００２６】
画像消去部１０２は、ジャム判定部１０３により判定されたジャムの種類に応じて、原稿読取部５による読み取りが成功している成功最終頁を検出し、当該検出した成功最終頁よりも後の原稿に対応する画像データを画像メモリー３２から消去する。
【００２７】
なお、制御部１００は、画像消去部１０２による画像データの消去後、画像メモリー３２に記憶されている画像データの中で最後に記憶された画像データが示す画像である原稿最終頁の画像データを画像形成部１２に印刷させる、又は表示部４７３に表示させる制御を行う。
【００２８】
次に、画像形成装置１の制御ユニット１０で行われる処理の一例について、図３に示したフローチャートに基づいて説明する。なお、この処理は、制御部１００が、原稿読取部５による原稿読取及び画像形成部１２による印刷（すなわち、コピー動作）を行わせているときに、ジャム検出部１０１によってジャムが検出され、当該読取及び印刷の動作を中断させた場合に行われる動作である。
【００２９】
また、ここでは、図４に示したように、原稿トレイ６ａに原稿が「Ａ」〜「Ｈ」の８頁分セットされ、５頁目の原稿「Ｅ」の読み取り途中でジャムが発生した場合を例に挙げて説明する。また、図４に示した頁番号「１」〜「５」は、読み取りが行われた順序を示している。
【００３０】
上記読取動作の中断時には、画像消去部１０２が、最終読込完了頁番号Ｎを、原稿読取部５による読み取りが最後に完了した原稿の頁番号に設定する（Ｓ１）。例えば、図４に例を示すように、読み取りが完了しているのは、ここでは頁番号「４」であるため、最終読込完了頁番号Ｎは「４」に設定される。
【００３１】
続いて、画像消去部１０２は、ジャム検出部１０１によって検出されたジャムについて、ジャム判定部１０３により判定されたジャムの種類に応じて予め定められた頁数ａを設定する（Ｓ２）。そして、画像消去部１０２は、最終読込完了頁番号Ｎから頁数ａを減算し、最後に読み取りが成功した原稿の頁番号を示す成功最終頁を示す番号Ｍ（＝Ｎ−ａ）を算出する（Ｓ３）。
【００３２】
ここで、画像消去部１０２による成功最終頁の算出について説明する。図５は、ジャムの種類と、ジャムの種類に応じて予め定められた頁数ａとの関係の一例を示した図である。図５では、（１）無給紙ジャムのとき、頁数ａが「０」に設定され、（２）給紙部ジャム（給紙部でのジャム）、レジストジャム（レジストローラー付近のジャム）、給紙滞留ジャム（給紙カセット付近のジャム）、搬送滞留ジャム（搬送路１９０でのジャム）、反転ジャム（反転搬送路１９５でのジャム）のとき、頁数ａが「１」に設定され、（３）排出ジャム（排出ローラー１５９付近のジャム）のとき、頁数ａが「２」に設定されている例を示している。
なお、上記無給紙ジャムとは、給紙動作をしているにも関わらず、原稿（記録紙）が正しい位置に給紙されない状態をいう。例えば、無給紙ジャムは、給紙部１４内で記録紙をピックアップする給紙ローラー１４１（図１）のスリップ時や、読取対象とされる頁の原稿が正しい給紙位置にセットされていない場合に発生する。
【００３３】
例えば、図６に示したように、発生したジャムの種類が給紙部ジャムである場合、画像消去部１０２は、頁数ａを「１」に設定し、成功最終頁を示す番号Ｍを「３（＝４−１）」と算出する。すなわち、成功最終頁は、３頁目の原稿「Ｃ」となる。
【００３４】
また、発生したジャムの種類が無給紙ジャムである場合、画像消去部１０２は、頁数ａを「０」に設定し、成功最終頁を示す番号Ｍを「４（＝４−０）」と算出する。すなわち、成功最終頁は、４頁目の原稿「Ｄ」となる。
【００３５】
発生したジャムの種類が排出ジャムである場合、画像消去部１０２は、頁数ａを「２」に設定し、成功最終頁を示す番号Ｍを「２（＝４−２）」と算出する。成功最終頁は、２頁目の原稿「Ｂ」となる。
【００３６】
続いて、画像消去部１０２は、成功最終頁を示す番号Ｍの次頁（Ｍ＋１）目以降の原稿に対する画像データを画像メモリー３２から消去する（Ｓ４）。例えば、成功最終頁を示す番号Ｍが「３」である場合、４頁目以降の原稿（ここでは、４頁目の原稿「Ｄ」と読み取り途中の５頁目の原稿「Ｅ」）に対応する画像データが画像メモリー３２から消去される。
【００３７】
その後、制御部１００が、成功最終頁を示す番号Ｍの原稿に対応する画像データから印刷用データを作成し（Ｓ５）、作成した印刷用データを画像形成部１２により印刷させる（Ｓ６）。これにより、成功最終頁を示す番号Ｍの原稿がユーザーに示される。例えば、成功最終頁を示す番号Ｍが「３」である場合、３頁目の原稿「Ｃ」がユーザーに示される。
【００３８】
上記実施形態によれば、ジャムの種類に応じて、読み取りが成功した成功最終頁の原稿が上記算出により検出され、当該成功最終頁よりも後の原稿（読み取りが不成功になっている可能性のある原稿）に対応する画像データが画像メモリー３２から消去される。すなわち、実施形態では、ジャムが発生した場合に、成功最終頁である、最後に読み取りが成功した原稿を判定して、ユーザーに対して示すことができる。
【００３９】
これにより、ユーザーは、どこまでの原稿が正しく読み取りが行われているかの判断を自分で行う必要がなくなり、原稿読取部５に再度読取を行わせるべき原稿を簡単に把握できる。換言すれば、ジャムが発生した場合に、正しく読み取りが行われた最後の原稿をユーザーに知らせ、原稿読取部５に再セットすべき残りの原稿をユーザーに正確に伝えることができる。
【００４０】
なお、上記実施形態では、制御部１００が、成功最終頁を示す番号Ｍの原稿に対応する画像データから作成した印刷用データを画像形成部１２で印刷させる場合について説明しているが、別の実施形態として、制御部１００が、成功最終頁を示す番号Ｍの原稿に対応する画像データの表示を表示部４７３に行わせるようにしてもよい。これにより、原稿画像を表示可能なディスプレイを有する画像形成装置であれば、用紙やトナーを無駄にすることなく、正しく読み取りが行われた最後の原稿をユーザーに把握させることができる。
【００４１】
また、本発明の応用として、制御部１００が、（ｉ）原稿読取部５によるスキャナ送信中や、ファクシミリ通信部７１によるファクシミリ送信のために原稿読取部５による原稿読取動作中に、ジャム検出部１０１によってジャム発生が検出されたときは、成功最終頁を示す番号Ｍの原稿に対応する画像データに、「この頁の次の原稿からセットして下さい。」という文字情報を付加して画像形成部１２に印刷させ、（ｉｉ）原稿読取部５及び画像形成部１２によるコピー動作中に、ジャム検出部１０１によってジャム発生が検出されたときは、それまでに読み取られた原稿の１頁目から成功最終頁を示す番号Ｍの原稿に対応する画像データを画像形成部１２に印刷させた後に、表示部４７３に、「最後に印刷した頁の次の原稿からセットして下さい。」のメッセージを表示させるようにしてもよい。当該（ｉｉ）の場合、ユーザーは、成功最終頁を示す番号Ｍの原稿に対応する画像データを印刷したものを、そのままコピー物として使うことができるため、記録紙は一枚も無駄にならない。
【００４２】
本発明は上記実施の形態の構成に限られず種々の変形が可能である。上記実施形態において、図１乃至図６を用いて示した構成及び処理は、本発明の一実施形態に過ぎず、本発明を当該構成及び処理に限定する趣旨ではない。
【符号の説明】
【００４３】
１        画像形成装置
５        原稿読取部
１２      画像形成部
１５      ジャムセンサー
１０      制御ユニット
１００    制御部
１０１    ジャム検出部
１０２    画像消去部
１０３    ジャム判定部
【図１】
2018006834.tif 000003
【図２】
2018006834.tif 000004
【図３】
2018006834.tif 000005
【図４】
2018006834.tif 000006
【図５】
2018006834.tif 000007
【図６】
2018006834.tif 000008